【事件の表示】
　特願２００１−　１０６２３「デジタル画像印刷用プログラム及びそれを記憶した記憶媒体」拒絶査定不服審判事件〔平成１４年　８月　２日出願公開、特開２００２−２１８２１３〕について、次のとおり審決する。
【結　論】
　本件審判の請求は、成り立たない。
【理　由】
１．手続きの経緯・本願発明
　本願は、平成１３年１月１８日に出願されたものであって、平成１５年７月２２日付けで拒絶の理由が通知され、これに対し平成１５年９月２４日付けで手続補正がなされ、平成１５年１０月１０日付けで拒絶査定がされ、これに対し平成１５年１１月１７日に拒絶査定に対する審判請求がなされ、その後、平成１５年１２月１２日に手続補正がなされたものである。
　
２．平成１５年１２月１２日付け手続補正についての補正却下の決定
［補正却下の決定の結論］
　平成１５年１２月１２日付けの手続補正を却下する。
［理由］
（１）補正後の本願発明
　平成１５年１２月１２日付けの手続き補正により、特許請求の範囲の請求項１及び２は、
　
　「【請求項１】デジタル画像が記録される記録媒体に対応した形状の画像エリア内に、それぞれ矩形状をなす複数の単位表示領域を縦横に並べた状態で、前記各単位表示領域にそれぞれ前記デジタル画像を配置して印刷するためのものであって、コンピュータに、
　前記画像エリアの位置及びサイズ情報と、前記単位表示領域のサイズ情報とに基づいて前記画像エリア内に配置可能な単位表示領域の最大数を算出し、その最大数の単位表示領域を前記画像エリアに配列する処理と、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理と、
　前記各デジタル画像情報を前記各単位表示領域に配置してなる印刷表示データを印刷装置に出力する処理とを順に実行させるためのデジタル画像印刷用プログラム。
【請求項２】デジタル画像が記録される記録媒体に対応した形状の画像エリア内に、それぞれ矩形状をなす複数の単位表示領域を縦横に並べた状態で、前記各単位表示領域にそれぞれ前記デジタル画像を配置して印刷するためのプログラムを記憶した記憶媒体であって、前記プログラムがコンピュータに、
　前記画像エリアの位置及びサイズ情報と、前記単位表示領域のサイズ情報とに基づいて前記画像エリア内に配置可能な単位表示領域の最大数を算出し、その最大数の単位表示領域を前記画像エリアに配列する処理と、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理と、
　前記各デジタル画像情報を前記各単位表示領域に配置してなる印刷表示データを印刷装置に出力する処理とを順に実行させることを特徴とするデジタル画像印刷用プログラムを記憶した記憶媒体。」
と補正された。
　
（２）補正の適否について
　補正前の特許請求の範囲の請求項１及び２は、次のとおりである。
　「【請求項１】画像エリア内に、それぞれ矩形状をなす複数の単位表示領域を縦横に並べた状態で、前記各単位表示領域にそれぞれデジタル画像を配置して表示するためのものであって、コンピュータに、
　前記画像エリアの位置及びサイズ情報と、前記単位表示領域のサイズ情報とに基づいて前記画像エリア内に配置可能な単位表示領域の最大数を算出し、その最大数の単位表示領域を前記画像エリアに配列する処理と、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理とを順に実行させるためのデジタル画像表示用プログラム。
【請求項２】画像エリア内に、それぞれ矩形状をなす複数の単位表示領域を縦横に並べた状態で、前記各単位表示領域にそれぞれデジタル画像を配置して表示するためのプログラムを記憶した記憶媒体であって、前記プログラムがコンピュータに、
　前記画像エリアの位置及びサイズ情報と、前記単位表示領域のサイズ情報とに基づいて前記画像エリア内に配置可能な単位表示領域の最大数を算出し、その最大数の単位表示領域を前記画像エリアに配列する処理と、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理とを順に実行させることを特徴とするデジタル画像表示用プログラムを記憶した記憶媒体。」
　　
　上記平成１５年１２月１２日付けの手続補正は、補正前の請求項１及び２に記載された発明を特定するために必要な事項を限定するための補正であるから、特許法１７条の２第４項第２号の特許請求の範囲の減縮を目的とするものに該当する。
　そこで、平成１５年１２月１２日付けの手続補正後の請求項１に記載された発明（以下、「本願補正発明」という。）が特許出願の際独立して特許を受けることができるものであるか、すなわち平成１５年改正前特許法第１７条の２第５項において準用する同法第１２６条第４項の規定に適合するかどうかについて以下に検討する。
　
（３）引用例
　原審の拒絶の理由に引用した特開平１１−３２７８６４号公報（平成１１年１１月３０日出願公開。以下、「引用例１」という。）には、図面と共に次の各記載がある。
　
（ア）「【０００１】
【発明の属する技術分野】
本発明はデジタルスチルカメラなどによって得られたデジタル画像データを印刷するための画像印刷システムに関するものである
【０００２】
【従来の技術】近年、ＣＣＤ等の光センサによりレンズで集光した光をデジタルデータに変換し、記憶媒体に写真データを記憶するデジタルスチルカメラが低価格化および高画質化し、一般にも普及してきている。デジタルスチルカメラとパーソナルコンピュータ（以下、パソコンという）とをケーブルで接続し、あるいは赤外線通信などの手段により、デジタルスチルカメラ内の写真データをパソコンに転送し、パソコンに写真データを取り込むことができる。デジタルスチルカメラには、カメラ本体から脱着自在なメモリカードに写真データを記憶するものもあり、メモリカードを直接あるいはアダプタを介してパソコンに内蔵あるいは外付けされたカードスロットに挿入することにより、パソコンに写真データを短時間で容易に取り込むことができる。写真データを取り込んだパソコンに昇華型やインクジェット式などのプリンタを接続して印刷を行うことにより、小規模な事業所や家庭でも安価に写真を印刷することができる。
【０００３】
【発明が解決しようとする課題】しかしながら、上記のようにプリンタをパソコンに接続して写真を印刷する場合は、一般にプリンタの紙送り機構のために用紙の縁に印刷されない部分が必要であるため、印刷された写真の縁に余白のある印刷物しか得られないという問題があった。また、印刷後に印刷物を使用者が切断する場合、毎回一定の大きさに切断するのは困難であるという問題があった。
【０００４】本発明は上記の問題を解決するためになされたものであり、その目的は画像の印刷物を容易に一定の大きさで切断することができる画像印刷システムを提供することにある。
【０００５】
本発明の別の目的は、印刷物から縁の余白を容易に除去することができる画像印刷システムを提供することにある
　
（イ）「【０００９】
【発明の実施の形態】以下、本発明の実施例を図面に基づいて詳細に説明する。
【００１０】本発明の一実施例の写真画像印刷システムは、図２に示すように表示部としてのモニタ２０および入力部としてのマウス３０が接続された制御部としてのパソコン１０と、印刷部として、インクジェットプリンタなどのプリンタ４０とを備える。パソコン１０は中央処理装置（ＣＰＵ）と、主記憶装置としてのＲＡＭと、補助記憶装置としてのハードディスクなどを備える。
パソコン１０のハードディスクなどにインストールされた印刷用コンピュータプログラムを実行することにより、モニタ２０への写真画像の表示、マウス３０による実行手順の選択、プリンタ４０による写真画像印刷などの制御を行う
このコンピュータプログラムは、フロッピーディスク、ＣＤ−ＲＯＭ、光磁気ディスク（ＭＯ）などのコンピュータ読み取り可能な記憶媒体に記憶して提供され、パソコン１０のハードディスクなどにインストールされ、ＲＡＭに読み込まれてＣＰＵにより実行される。また、インターネットなどのネットワーク上でプログラムを提供し、プログラムを実行するコンピュータから離れた場所にプログラムを記憶することもできる
【００１１】写真画像データを記憶する記憶媒体としては、（１）デジタルスチルカメラ５０に脱着自在なメモリカード５１を、パソコン１０に内蔵された、または外付けされたカードリーダー７０に設けられたカードスロット７１に挿入して用いることや、（２）内蔵メモリを有するデジタルスチルカメラ５０をシリアルケーブル５２などでパソコン１０に接続し、内蔵メモリの内容をパソコン１０で読み取ることや、（３）パソコン１０に内蔵または外付けされたハードディスク１３やフロッピーディスク、ＣＤ−ＲＯＭ、ＭＯなどの記憶装置を用いることができる。」
　なお、印刷の都合上丸数字は、括弧付きの数字とした。
　
（ウ）「【００１２】
次に、本実施例の写真画像印刷システムを用いて写真をプリントするときの手順を説明する
【００１３】使用者は、モニタ２０に表示された矢印形のポインタの位置をマウス３０の操作により自由に移動させることができる。以下、ポインタをモニタ２０に表示された画像に重ね合わせ、マウスのボタンを押すことをその画像を押すという。
【００１４】本実施例の印刷用プログラムを実行させると、図３の（ａ）に示すようなスタート画面が表示される（Ｓ１０１）。
ここで、「はじめる」と表示されたボタンの画像を押す
【００１５】
「メモリカード」と表示されたボタンを押すと
「ファイル」と表示されたボタンを押すと
「シリアル接続」と表示されたボタンを押すと
【００１６】図３の（ｂ）に示す画面で、
「終わる」と表示されたボタンの画像を押すと
「キャンセル」と表示されたボタンの画像を押すと
「始めから」と表示されたボタンの画像を押すと
【００１７】図３の（ｂ）に示す画面で、
「たすけて」と表示されたボタンの画像を押すと
「もどる」と表示されたボタンの画像を押すと
【００１８】この「終わる」、「たすけて」、「もどる」のボタンは、以後の行程で常に表示されており、同様の機能をもつ。
【００１９】写真画像データの読み込み先が選択されると、読み込み先の記憶媒体から写真画像データが読み込まれる（Ｓ１０６）。写真画像データとともに記憶された写真画像の縮小データを用いて、縮小画像として複数のサムネイルをモニタ２０に表示させる。この行程では、縮小データのみを読み込みことも可能である。縮小データが存在しない場合は、写真画像データから縮小データを作成して表示させる。本実施例では、図４の（ｄ）に示すようにモニタの１画面に２０枚のサムネイル２０１を表示させる。
【００２０】次に、インデックスプリントを行うかどうかの選択をする（Ｓ１０７）。モニタ２０に図４の（ｅ）に示すような画面が表示され、
「しない」と表示されたボタンが押された場合
「する」と表示されたボタンが押された場合
【００２１】本実施例では、Ａ４用紙、４×６用紙、Ａ６用紙のいずれかを用いることができる。Ａ４用紙は、２１０ｍｍ×２９７ｍｍのサイズにカットされている。４×６用紙は、１１４ｍｍ×１７５ｍｍのサイズにカットされ、四辺の縁にミシン目が設けられている。このミシン目で切り取ることにより１０２ｍｍ×１５２ｍｍのサイズ、すなわち、ほぼ４インチ×６インチの大きさとなる。Ａ６用紙は、１０５ｍｍ×１４８ｍｍのサイズにカットされている。インデックスプリント時には、写真画像データが記憶されている順番を示す写真番号が各写真画像の近傍に表示される。写真画像データに撮影日時のデータが含まれている場合は、撮影日時を示す文字を印刷することもできる。
【００２２】次に、プリントしたい写真を選択する方法を選択する（Ｓ１０９）。図５の（ｈ）に示す画面において、
「すべて」と表示されたボタンの画像を押すと
「選ぶ」と表示されたボタンの画像を押すと
「枚数指定」と表示されたボタンの画像を押すと
【００２３】ステップＳ１１０では、図５の（ｉ）に示すような画面が表示され、
使用者が写真のサムイネイルを押すことにより、その写真をプリントするかしないかを切り替えることができる
プリントしたい写真のサムネイルを押すことにより、そのサムネイル２０１の上に○印などのプリントするということを示す記号が表示され、そのサムネイルに対応した写真画像は１枚プリントするように設定される。○印のついたサムネイルをもう一度押すと、○印が消えて、プリントの指定が取り消される
【００２４】図５の（ｉ）に示す画面において、始めに全ての写真を１枚ずつプリントするように設定しておいて、サムネイルを押して選択した画像に×印などのプリントしないということを示す記号を表示することもできる。
【００２５】メモリカードに２０枚以上の画像が記憶されていて、モニタ２０に全ての写真のサムネイルを表示できない場合は、写真は２０枚ずつ複数のシートに分配されて表示され、モニタ２０に次のシートを表示するための「次シート」ボタンと、前のシートを表示するための「前シート」ボタンが表示される。この
「次シート」ボタンまたは「前シート」ボタンを押すことにより
「選択完了」と表示されたボタンを押すことにより
【００２６】ステップＳ１１１では、図６の（ｊ）に示すような画面が表示される。ステップＳ１１０における図５の（ｉ）に示す画面と同様に、前シート、次シートを表示させることが可能である。
使用者が写真画像のサムイネイルを押すことにより
「増やす」と表示されたボタンを押すことにより
「減らす」と表示されたボタンを押すことにより
サムネイルをもう一度押すことにより、図６の（ｊ）に示す画面に戻ることができる
【００２７】また、
「ズーム」と表示されたボタンを押すことにより
「左回転」または「右回転」と表示されたボタンを押すことにより
「閉じる」と表示されたボタンを押すと
【００２８】また、図６の（ｊ）に示す画面で、
「一括指定」と表示されたボタンを押すと
「設定」と表示されたボタンを押すことにより
「中止」と表示されたボタンを押すと
【００２９】図６の（ｊ）に示す画面には合計のプリント枚数も表示されている。１枚以上の写真画像をプリントするように指定して、
「選択完了」と表示されたボタンを押すことにより
【００３０】ステップＳ１１２では、モニタ２０に図７の（ｎ）に示すような画面が表示され、写真をプリントする用紙サイズを選択する。本実施例では、写真印刷用紙として、Ａ４用紙、４×６用紙、Ａ６用紙を用いて、カードサイズ、Ｅサイズ、Ｌサイズ、４×６サイズ、ＬＬサイズおよびＡ４（４Ｌ）サイズの写真をプリントすることができる。
【００３１】カードサイズは８９ｍｍ×５５ｍｍの大きさであり、一般に用いられる名刺のサイズとほぼ同じである。
本実施例では、プリント後にプリント領域の四辺の縁を１ｍｍずつ切り落として、周縁に余白が残らないようにしたときにカードサイズとなるように、写真画像は９１ｍｍ×５７ｍｍの大きさでプリントされる。この切り落とし部分を含んだ寸法を実プリントサイズという
【００３２】Ｅサイズは１１０ｍｍ×７４ｍｍの大きさであり、過去に標準的であった写真サイズとほぼ同じである。実プリントサイズは１１２ｍｍ×７６ｍｍである。
【００３３】Ｌサイズは１２７ｍｍ×８９ｍｍの大きさであり、現在標準的な写真サイズとほぼ同じである。実プリントサイズは１２９ｍｍ×９１ｍｍである。
【００３４】４×６サイズは１５２ｍｍ×１０２ｍｍの大きさであり、欧州で標準的な写真サイズとほぼ同じである。実プリントサイズは１５４ｍｍ×１０４ｍｍである。
【００３５】ＬＬサイズは１７８ｍｍ×１２７ｍｍの大きさであり、Ｌサイズ２枚分の大きさである。実プリントサイズは１８０ｍｍ×１２９ｍｍである。
【００３６】Ａ４サイズは２５４ｍｍ×１７８ｍｍの大きさであり、Ｌサイズ４枚分の大きさであるため４Ｌサイズともいう。実プリントサイズは２５６ｍｍ×１８０ｍｍである。
【００３７】図７の（ｎ）または（ｐ）に示す画面において、
「４×６」と表示されたタグの画像を押すと
【００３８】図７の（ｎ）または（ｏ）に示す画面において、
「Ａ４」と表示されたタグの画像を押すと
【００３９】図７の（ｏ）または（ｐ）に示す画面において、
「Ａ６」と表示されたタグの画像を押すと
【００４０】
図７の（ｎ）、（ｏ）、（ｐ）に示す画面において、プリントサイズを示すボタンの画像には、用紙の大きさと用紙上でのプリント領域の関係を示す画像が表示されている。図７の（ｐ）に示すようにＡ４用紙の場合は１枚の用紙に、Ａ４サイズは１枚ずつ、ＬＬサイズと４×６サイズは２枚ずつ、Ｌサイズは４枚ずつ、Ｅサイズは３枚ずつ、カードサイズは８枚ずつの写真画像がレイアウトされる
【００４１】ステップＳ１１２に入ったときには、ステップＳ１０７のインデックスプリントで選択した用紙サイズに対応したタグの画像が押されたときの状態となるようにしてもよい。プリントサイズが選択されるとステップＳ１１３へ進む。
【００４２】ステップＳ１１３では、図８の（ｑ）に示すような画面が表示される。
「プリント開始」と表示されたボタンの画像を押すと
「オプション設定」と表示されたボタンの画像を押すと
【００４３】
デジタルスチルカメラにより撮影された写真画像は、画素数が６４０×４８０や１０２４×７６８など、縦横比が３：４であるものが多い。それに対し、一般に用いられているＥサイズやＬサイズなどの写真プリントサイズは、縦横比が３：４とは異なっている。本実施例では、オプション設定をしない場合、または図８の（ｒ）に示す画面で「標準的なトリミング」が選択された場合、図９の（Ａ）に示すように写真画像データ（元データ）の長辺とプリント領域の長辺が対応するように元データを回転させた後、元データの縦横比がプリント領域の縦横比よりも小さい（１：１に近い）場合は元データの長辺とプリント領域の長辺を対応させ、元データの上下方向がトリミングされてプリントされる。元データの縦横比がプリント領域の縦横比よりも大きい場合は元データの短辺とプリント領域の短辺を対応させ、元データの左右方向がトリミングされてプリントされる。そのため、プリント領域内に余白ができるのを防ぐことができる
【００４４】また、使用者によっては、元データがトリミングされることなく全ての範囲をプリントしたいということも考えられる。その場合は、図８の（ｒ）に示す画面で「トリミングしない」を選択する。その場合、図９の（Ｂ）に示すように元データの縦横比がプリント領域の縦横比よりも小さい場合は元データの短辺とプリント領域の短辺を対応させ、元データの縦横比がプリント領域の縦横比よりも大きい場合は元データの長辺とプリント領域の長辺を対応させてプリントされる。そのため、元データがトリミングされることなく全てがプリントされる。
【００４５】また、元データの縦横比とプリント領域の縦横比との差が小さい場合は標準的なトリミングをしたときにトリミングされる領域は小さいが、元データの縦横比（または横縦比）が大きいいわゆるパノラマ画像のデータを標準の写真サイズのプリント領域にプリントしようとすると、トリミングされる領域が大きくなる。本実施例では、「標準的なトリミング」を選択し、かつ、「パノラマ画像は自動的にパノラマ印刷」のチェックボックスを押してチェックを入れることにより、縦横比（または横縦比）が１：２よりも大きい画像データをパノラマ画像と判断する。図９の（Ｃ）に示すように、パノラマ画像でない画像については（Ａ）と同様のトリミングを行い、パノラマ画像については（Ｂ）と同様にトリミングを
行わなわずにプリントすることができる。チェックボックスはもう一度押すことによりチェックを解除することができる。
【００４６】図８の（ｒ）に示す画面では、切り取りガイド６０をプリントするか否かを選択することもできる。切り取りガイド６０は図１０に示すように写真画像のプリント領域１００の外側にプリントされる。切り取りガイド６０は、図１３に示すように、画像のプリント領域１００の外周線を形成する第１の平行線１０１および第２の平行線１０２の外側に設けられる第１のガイド６１と第２のガイド６２とからなる。第１のガイドは、例えばプリント領域１００の左右外側すなわち第１の平行線の外側１ｍｍの位置から、左右方向すなわち第２の平行線と平行に、長さ５ｍｍの直線として第２の平行線の延長線上から１ｍｍ内側の位置に４ヵ所設けられている。第２のガイド６２は、例えばプリント領域１００の上下外側すなわち第２の平行線の外側１ｍｍの位置から、上下方向すなわち第１の平行線と平行に、長さ５ｍｍの直線として第１の平行線の延長線上から１ｍｍ内側の位置に４ヵ所設けられる。
【００４７】プリント終了後に、切り取りガイド６０の位置に直線部材としての定規の直線部分を重ねて置き、使用者がカッターなどの切断手段を定規の直線部分に沿って移動させて用紙を切断することにより、プリント領域の四辺の縁が１ｍｍずつ切り落とされ、余白のない写真を得ることができる。定規を画像のプリント領域の内側に置いて用紙を切断すると、使用者がカッターの動かし方を誤った場合でもプリント領域を傷つけるのを防ぐことができる。上記の切り取りガイドは、写真のプリントサイズに合わせたミシン目が設けられていない用紙にプリントするときに特に有用である。
【００４８】その他、図８の（ｒ）に示す画面では、写真番号、撮影日付、撮影時刻を写真画像と共にプリントするか否かを選択することもできる。
【００４９】ステップＳ１１４では、図８の（ｓ）に示すような画面が表示され、写真のプリントが開始される。図８の（ｓ）に示す画面では、印刷中の写真画像と、プリントの開始から終了までのうち、現在の進行度を示すバーとが表示される。進行度を示すバーはプリントが開始されると左側から徐々に塗りつぶされ、全て塗りつぶされたときに全ての写真のプリントが完了する。プリントが完了すると、ステップＳ１０１に戻る。
【００５０】各選択画面において、選択ボタンのいずれか１つの画像に「おすすめ」と表示するなど、推奨される選択肢であることを示す画像を表示させることもできる。これにより、本実施例の装置を始めて操作する人でも、途中でどの選択肢を選択するべきなのかが分からなくて作業が中断されることがなく、確実に写真をプリントすることができる。
【００５１】本実施例では、ステップＳ１０１における図３の（ａ）に示すスタート画面で、画面上の複数の所定位置を所定時間内に押すことにより、モニタ２０に図１１に示すようなシステム設定画面８０を表示させることができる（Ｓ１１５）。例えば、５秒以内に画面の四隅近傍を続けて押すことにより、システム設定画面８０を表示させることができる。これにより、一般の使用者は操作の難しいシステム設定画面８０を表示することがなく、管理者などが詳細な設定をしたい場合にのみシステム設定画面８０を表示させることができる。
【００５２】図１１に示すシステム設定画面８０では、「自動設定：」と表示された枠８１の中で、スタート画面で「はじめる」のボタンに加えて、自動設定実行用のボタンを表示するか表示しないかを設定することができる。また、「音声ガイド：」と表示された枠８２の中では、音声により操作方法を説明する音声ガイドが必要か不要か、あるいは選択画面をＳ１０２の前に表示して選択するかを設定することができる。また、「終了確認：」と表示された枠８３の中では、Ｓ１０２からＳ１１４の画面で表示される「おわる」ボタンを押したときに終了確認画面を表示するか、表示せずに終了するかを設定することができる。また、「読み込み先：」と表示された枠８４の中では、Ｓ１０２でデータ読み込み先の選択画面を表示するか、選択画面を表示せずにあらかじめ１種に固定するかを設定することができる。
「ＯＫ」と表示されたボタン８５を押すと
「キャンセル」と表示されたボタン８６を押すと
【００５３】
システム設定画面の「自動設定：」と表示された枠８１の中で、「設定…」と表示されたボタン８１１を押すことにより
【００５４】自動設定画面９０では、音声ガイドの選択、Ｓ１０２におけるデータ読み込み先の選択、Ｓ１０７におけるインデックスプリントの選択、Ｓ１０９における写真選択方法の選択、Ｓ１１２におけるプリントサイズの選択、Ｓ１１３におけるプリント確認などの各種選択画面を表示させて使用者に選択を行わせるか、選択すべき情報をあらかじめ固定しておき選択画面の表示を省略するかを設定することができる。例えば、自動設定画面９０において、「写真選択方法」と表示された枠９４の中で
「選択」と設定することにより
「いつもの」ボタンを押したときには
「いつもの」のボタンを押したときには
【００５５】「デフォルト枚数」と表示された枠９５の中では、写真選択方法として
「すべて」または「枚数指定」を選択したときに
【００５６】「音声ガイド」や「読み込み先」の設定が、自動設定画面９０の設定とシステム設定画面８０の設定とで異なる場合は、自動設定画面９０の設定が優先される。
【００５７】自動設定画面９０で、
「ＯＫ」と表示されたボタン９８を押すと
「キャンセル」と表示されたボタン９９を押すと
【００５８】
上記のような自動設定画面により、例えば、図１２に示すように常に読み込み先の記憶媒体としてメモリカードを使用し、インデックスプリントを省略し、全ての写真を１枚ずつ４×６用紙に４×６サイズでプリントするように設定すれば、ステップＳ１０１のスタート画面で、「いつもの」と表示されたボタンを押し、メモリカードを挿入するだけで、全ての処理が実行され、必要な写真がプリントされるため、使用者の操作を非常に簡単にすることができる
【００５９】上記の本発明の実施例では、
本発明の画像印刷装置をデジタルカメラにより撮影した写真画像の印刷に適用したが、画像読み取り装置により読み取られた写真画像、画像処理ソフトウェアにより修正された写真画像、あるいは写真以外の画像の印刷に本発明を適用することも可能である
　なお、下線は、審決において附された。
　　
　以上の記載からみて、引用例１には、次のような発明が記載されているものと認められる。
　
　「デジタルスチルカメラなどによって得られたデジタル画像データを印刷するためのデジタル画像印刷用プログラムであって、
　このコンピュータプログラムは、フロッピーディスク、ＣＤ−ＲＯＭ、光磁気ディスク（ＭＯ）などのコンピュータ読み取り可能な記憶媒体に記憶して提供され、また、インターネットなどのネットワークを介して提供され、
　そして、このデジタル画像印刷用コンピュータプログラムは、パソコン１０のハードディスクなどにインストールされ、その後、該デジタル画像印刷用コンピュータプログラムを実行すると、このプログラムは、モニタ２０への写真画像の表示、マウス３０による実行手順の選択、プリンタ４０による写真画像印刷などの制御を行い、プリント領域内に余白のないデジタル画像データをプリンタ４０により印刷するものであり、
　写真画像データを記憶する記憶媒体としては、デジタルスチルカメラ５０に脱着自在なメモリカード５１、デジタルスチルカメラ５０の内蔵メモリ、及びパソコン１０に内蔵または外付けされたハードディスク１３やフロッピーディスク、ＣＤ−ＲＯＭ、ＭＯなどの記憶装置を用いることができ、写真画像データの読み込み先が選択されると、読み込み先の記憶媒体から写真画像データがパソコン１０のハードディスク等に読み込まれ（Ｓ１０６）、それと同時に図４の（ｄ）に示すようにモニタの１画面に２０枚のサムネイル２０１が表示され、
　もし、インデックスプリントをする必要があり、インデックスプリントを「する」と表示されたボタンが押された場合は、図４の（ｆ）に示すような画面が表示され、インデックスプリントのプリントサイズを指定しプリンタ４０にセットしてあるＡ４用紙、４×６用紙、Ａ６用紙のいずれかの用紙サイズを示すボタンの画像を押すことにより図５の（ｇ）に示す画面が表示され、１枚の用紙に２０枚ずつのサムネイル２０１をプリントするインデックスプリントが実行され（Ｓ１０８）、
　そして、ステップＳ１１０では、図５の（ｉ）に示すような画面が表示され、使用者が写真のサムネイルを押すことにより、その写真をプリントするかしないかを切り替えることができ、プリントしたい写真のサムネイルを押すことにより、そのサムネイルに対応した写真画像は１枚プリントするように設定され、
　メモリカードには２０枚以上の画像が記憶されていて、モニタ２０に全ての写真のサムネイルを表示できない場合は、写真は２０枚ずつ複数のシートに分配されて表示され、モニタ２０には「次シート」ボタンと「前シート」ボタンが表示され、「次シート」ボタンまたは「前シート」ボタンを押すことにより、表示するシートを切り替えることができ、
　所望のシートの選択が完了したならばステップＳ１１２へ行き、モニタ２０に図７の（ｎ）に示すような画面が表示され、写真をプリントする用紙サイズを選択し、写真印刷用紙として、Ａ４用紙、４×６用紙、Ａ６用紙を用いて、カードサイズ、Ｅサイズ、Ｌサイズ、４×６サイズ、ＬＬサイズおよびＡ４（４Ｌ）サイズの写真をプリントすることができ、
　図７の（ｎ）または（ｏ）に示す画面において、例えば「Ａ４」と表示されたタグの画像を押すと、Ａ４用紙にプリント可能なＡ４サイズ、ＬＬサイズ、４×６サイズ、Ｌサイズ、Ｅサイズおよびカードサイズを示すボタンの画像が表示され、そのボタンを押すことにより、プリントサイズを選択することができ、
　図７の（ｎ）、（ｏ）、（ｐ）に示す画面において、プリントサイズを示すボタンの画像には、用紙の大きさと用紙上でのプリント領域の関係を示す画像が表示されており、図７の（ｐ）に示すようにＡ４用紙の場合は１枚の用紙に、Ａ４サイズは１枚ずつ、ＬＬサイズと４×６サイズは２枚ずつ、Ｌサイズは４枚ずつ、Ｅサイズは３枚ずつ、カードサイズは８枚ずつの写真画像がレイアウトされ、
　デジタルスチルカメラにより撮影された写真画像は、縦横比が３：４であるものが多く、それに対し、一般に用いられているＥサイズやＬサイズなどの写真プリントサイズは、縦横比が３：４とは異なっているから、図８の（ｒ）に示す画面で「標準的なトリミング」が選択された場合、図９の（Ａ）に示すように写真画像データ（元データ）の長辺とプリント領域の長辺が対応するように元データを回転させた後、元データの縦横比がプリント領域の縦横比よりも小さい（１：１に近い）場合は元データの長辺とプリント領域の長辺を対応させ、元データの上下方向がトリミングされてプリントされ、元データの縦横比がプリント領域の縦横比よりも大きい場合は元データの短辺とプリント領域の短辺を対応させ、元データの左右方向がトリミングされてプリントされ、そのため、プリント領域内に余白ができるのを防ぐことができ、
　ステップＳ１１４では、図８の（ｓ）に示すような画面が表示され、プリンタ４０により写真のプリントが開始され、図８の（ｓ）に示す画面では、印刷中の写真画像と、プリントの開始から終了までのうち、現在の進行度を示すバーとが表示され、進行度を示すバーはプリントが開始されると左側から徐々に塗りつぶされ、全て塗りつぶされたときに全ての写真のプリントが完了するように制御する印刷用コンピュータプログラム。」
　
（４）対比
　本願補正発明と引用例１に記載された発明を対比すると、
　引用例１に記載された発明の「印刷用コンピュータプログラム」は、本願補正発明の「デジタル画像印刷用プログラム」に相当し、引用例１に記載された発明の「カードサイズ」は、本願補正発明の「単位表示領域」に相当し、引用例１に記載された発明の「プリンタ４０」は、本願補正発明の「印刷装置」に相当することは明らかである。
　
　そして、引用例１には、　　　　　　　　　　　　　　
(a)「【００１１】写真画像データを記憶する記憶媒体としては、（１）デジタルスチルカメラ５０に脱着自在なメモリカード５１を、パソコン１０に内蔵された、または外付けされたカードリーダー７０に設けられたカードスロット７１に挿入して用いることや、（２）内蔵メモリを有するデジタルスチルカメラ５０をシリアルケーブル５２などでパソコン１０に接続し、内蔵メモリの内容をパソコン１０で読み取ることや、（３）パソコン１０に内蔵または外付けされたハードディスク１３やフロッピーディスク、ＣＤ−ＲＯＭ、ＭＯなどの記憶装置を用いることができる。」
(b)「【００１９】写真画像データの読み込み先が選択されると、読み込み先の記憶媒体から写真画像データが読み込まれる（Ｓ１０６）。写真画像データとともに記憶された写真画像の縮小データを用いて、縮小画像として複数のサムネイルをモニタ２０に表示させる。
（中略）
本実施例では、図４の（ｄ）に示すようにモニタの１画面に２０枚のサムネイル２０１を表示させる。」
(c)「【００２３】ステップＳ１１０では、図５の（ｉ）に示すような画面が表示され、使用者が写真のサムイネイルを押すことにより、その写真をプリントするかしないかを切り替えることができる。」
(d)「【００２５】メモリカードに２０枚以上の画像が記憶されていて、モニタ２０に全ての写真のサムネイルを表示できない場合は、写真は２０枚ずつ複数のシートに分配されて表示され、モニタ２０に次のシートを表示するための「次シート」ボタンと、前のシートを表示するための「前シート」ボタンが表示される。この「次シート」ボタンまたは「前シート」ボタンを押すことにより、表示するシートを切り替えることができる。」
(e)「【００４０】図７の（ｎ）、（ｏ）、（ｐ）に示す画面において、プリントサイズを示すボタンの画像には、用紙の大きさと用紙上でのプリント領域の関係を示す画像が表示されている。図７の（ｐ）に示すようにＡ４用紙の場合は１枚の用紙に、Ａ４サイズは１枚ずつ、ＬＬサイズと４×６サイズは２枚ずつ、Ｌサイズは４枚ずつ、Ｅサイズは３枚ずつ、カードサイズは８枚ずつの写真画像がレイアウトされる。」
(f)「【００４９】ステップＳ１１４では、図８の（ｓ）に示すような画面が表示され、写真のプリントが開始される。図８の（ｓ）に示す画面では、印刷中の写真画像と、プリントの開始から終了までのうち、現在の進行度を示すバーとが表示される。進行度を示すバーはプリントが開始されると左側から徐々に塗りつぶされ、全て塗りつぶされたときに全ての写真のプリントが完了する。」
との記載がなされており、これらの記載からみるに、引用例１に記載された発明は、パソコン１０の記憶装置の画像エリア内に矩形状の複数のカード領域（単位表示領域に相当）を縦横に並べた状態で、各カード領域にデジタル写真画像を配置してプリンタ４０（印刷装置に相当）により印刷するための印刷用コンピュータプログラム（デジタル画像印刷用プログラムに相当）であるから、本願補正発明と引用例１に記載された発明は、
　「画像エリア内に、それぞれ矩形状をなす複数の単位表示領域を縦横に並べた状態で、前記各単位表示領域にそれぞれ前記デジタル画像を配置して印刷するためのデジタル画像印刷用プログラム」
である点で差異はない。
　
　引用例１には、
「【００４３】デジタルスチルカメラにより撮影された写真画像は、画素数が６４０×４８０や１０２４×７６８など、縦横比が３：４であるものが多い。それに対し、一般に用いられているＥサイズやＬサイズなどの写真プリントサイズは、縦横比が３：４とは異なっている。本実施例では、オプション設定をしない場合、または図８の（ｒ）に示す画面で「標準的なトリミング」が選択された場合、図９の（Ａ）に示すように写真画像データ（元データ）の長辺とプリント領域の長辺が対応するように元データを回転させた後、元データの縦横比がプリント領域の縦横比よりも小さい（１：１に近い）場合は元データの長辺とプリント領域の長辺を対応させ、元データの上下方向がトリミングされてプリントされる。元データの縦横比がプリント領域の縦横比よりも大きい場合は元データの短辺とプリント領域の短辺を対応させ、元データの左右方向がトリミングされてプリントされる。そのため、プリント領域内に余白ができるのを防ぐことができる。」
との記載がなされており、この記載からみるに、引用例１に記載された発明は、図９の（Ａ）に示すように、(i)写真画像データ（元データ）の長辺とプリント領域の長辺が対応するように元データを回転させた後、(ii)元データの縦横比がプリント領域の縦横比よりも小さい（１：１に近い）場合は元データの長辺とプリント領域の長辺を対応させ、元データの上下方向がトリミングされてプリントされる。(iii)元データの縦横比がプリント領域の縦横比よりも大きい場合は元データの短辺とプリント領域の短辺を対応させ、元データの左右方向がトリミングされてプリントされる。(iv)そのため、プリント領域内に余白ができるのを防ぐことができるようにしているから、本願補正発明と引用例１に記載された発明とは、
　「前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理と、
　前記各デジタル画像情報を前記各単位表示領域に配置してなる印刷表示データを印刷装置に出力する処理とを順に実行させるためのデジタル画像印刷用プログラム」
である点で差異はない。
　
　そうすると本願補正発明と引用例１に記載された発明とは、
　「画像エリア内に、それぞれ矩形状をなす複数の単位表示領域を縦横に並べた状態で、前記各単位表示領域にそれぞれ前記デジタル画像を配置して印刷するためのものであって、コンピュータに、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理と、
　前記各デジタル画像情報を前記各単位表示領域に配置してなる印刷表示データを印刷装置に出力する処理とを順に実行させるためのデジタル画像印刷用プログラム。」
である点において一致し、次の点で相違する。
　
（相違点１）
　本願補正発明の画像エリアが、デジタル画像が記録される記録媒体に対応した形状のエリアであるのに対して、
　引用例１に記載された発明は、画像エリアが、デジタル画像が記録される記録媒体に対応した形状のエリアであるとは明記しない点。
　
（相違点２）
　本願補正発明が、画像エリアの位置及びサイズ情報と、単位表示領域のサイズ情報とに基づいて前記画像エリア内に配置可能な単位表示領域の最大数を算出し、その最大数の単位表示領域を前記画像エリアに配列する処理を実行させるデジタル画像印刷用プログラムであるのに対し、
　引用例１に記載された発明は、選択された写真印刷用紙に所望のカードサイズの写真画像を最大数だけプリントするものではあるが（段落【００４０】参照。）、画像エリアの位置及びサイズ情報と、写真画像のカードサイズ情報とに基づいて画像エリア内に配置可能な写真画像の最大数を算出するとは明記しない点。
　
（５）判断
（相違点１について）
　前記相違点１について判断するに、
(i)デジタル画像が記録される記録媒体には色々の種類及び形状の物があるから（例えば、コンパクトディスク、レコード、包装紙、化粧箱、印刷用紙、Ｔシャツ等々）、各具体的実施例において、画像エリアは、記録媒体に対応した形状となるように構成されるべきことは当然のことである。
　すなわち、デジタル画像が記録される記録媒体の形状に対し、記憶装置の画像エリアには、該記憶媒体の形状に対応したメモリエリアが設定されるべきことは自明のことであるところ、
(ii)例えば、特開平６−２８４３７０号公報、特開平１１−８６５０５号公報には、画像エリアをデジタル画像が記録される記録媒体（画像記録ディスクの表面または画像記録ディスク用ケース）に対応した形状とすることが開示されており、しかも当業者には周知な技術事項である。
　したがって、前記周知技術事項を引用例１に記載された発明に適用して、本願補正発明の如く構成することは、当業者が適宜なし得ることである。
　
（相違点２について）
　前記相違点２について判断するに、
(i)先に項目２．（５）において、周知例として挙げた特開平６−２８４３７０号公報には、表題画像Pkの１画像サイズ（本願補正発明の単位表示領域に相当）が縦１０ｍｍ×横６．６７ｍｍの場合、画像記録ディスクＡの直径２６ｍｍ〜３６ｍｍの範囲のドーナツリング状の表示領域には２４個の表題画像Pkを出力表示し、直径３７ｍｍ〜４７ｍｍの範囲のドーナツリング状の表示領域には３４個の表題画像Pkを出力表示し、また直径４８ｍｍ〜５８ｍｍの範囲のドーナツリング状の表示領域には４５個の表題画像Pkを表示出力することが記載されており（段落【００３８】〜【００４４】参照。）、図面に開示された事項及びその記載内容から見るに、特開平６−２８４３７０号公報に記載された発明は、画像エリアのサイズと位置情報、及び、表題画像の１画像サイズ情報とに基づいて配置可能な最大数を算出し、最大数の表題画像Pkを配置していることは明らかである。
(ii)また、例えば、特開２０００−１７５０２０号公報には、一覧印刷画像（画像エリアに相当）のサイズ情報と入力画像（単位表示領域に相当）のサイズ情報とに基づいて、一覧印刷画像内に配置可能な最大の入力画像数を算出し、その最大数の入力画像を、一覧印刷画像内に配置する処理を実行することが記載されている。
(iii)また、例えば、特開平６−２９１９８０号公報には、出力画像の１ページ毎に出力サイズ内に記録可能な最大原稿枚数を自動的に決定することにより、オペレータの介入なしに合成枚数を最適な枚数にすることができ、かつ、大きな余白を生じたり、出力サイズからはみ出して次のページにまたがる原稿が出てしまったりすることがないように処理することが記載されている。
　以上(i)及び(iii)に示される記載事項に鑑みると、引用例１に記載された発明に、前記周知技術事項を適用して、本願補正発明の如く構成することは、当業者が適宜なし得ることである。
　
（６）むすび
　以上のとおり、本願補正発明は、特許法第２９条第２項の規定により特許出願の際、独立して特許を受けることができるものではなく、特許法第１７条の２第５項で準用する同法１２６条第４項の規定に違反するものであるから、平成１５年改正前特許法第１５９条第１項で準用する同法第５３条第１項の規定により却下すべきものである。
　よって、補正却下の決定の結論のとおり決定する。
　
３．本願発明について
　平成１５年１２月１２日付けの手続補正は、前記のとおり却下されるから、本願の特許請求の範囲の請求項１に係る発明（以下、「本願発明」という。）は、平成１５年９月２４日付けの手続補正により補正された特許請求の範囲の請求項１に記載された次のとおりのものである。
　
　「【請求項１】画像エリア内に、それぞれ矩形状をなす複数の単位表示領域を縦横に並べた状態で、前記各単位表示領域にそれぞれデジタル画像を配置して表示するためのものであって、コンピュータに、
　前記画像エリアの位置及びサイズ情報と、前記単位表示領域のサイズ情報とに基づいて前記画像エリア内に配置可能な単位表示領域の最大数を算出し、その最大数の単位表示領域を前記画像エリアに配列する処理と、
　前記各単位表示領域及び前記各デジタル画像の縦横寸法に基づきそれらの長手方向が一致するか否かを判別する処理と、
　前記単位表示領域および前記デジタル画像の長手方向が一致しないときにそれを一致させるように前記デジタル画像の情報を回転させる処理と、
　前記単位表示領域の縦横比および前記デジタル画像の縦横比を比較して両者が一致しないときにそれを一致させるように前記デジタル画像の上下端又は左右端を均等にトリミングする処理と、
　得られた各デジタル画像情報を前記各単位表示領域に配置する処理とを順に実行させるためのデジタル画像表示用プログラム。」
　
（１）引用例
　原査定の拒絶理由に引用された引用例、及びその記載事項は、前記２．（３）項に記載したとおりである。
　
（２）対比・判断
　本願発明は、前記２．（４）項で検討した本願補正発明から、発明を限定する事項である「デジタル画像が記録される記録媒体の形状の」及び「前記各デジタル画像情報を前記各単位表示領域に配置してなる印刷表示データを印刷装置に出力する処理」を省いたものである。
　そうすると、本願発明を特定する事項をすべて含む本願補正発明が、前記２．（５）項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。